(57)【要約】【課題】カシメ圧力の如何にかかわらず振動板とプリント基板との間の電気的導通を確実・強固に確保して、高周波電磁波に対しても優れたシールド効果を発揮させることができるコンデンサマイクロホンユニットの提供。【解決手段】ユニットケース１２には、振動板リング３３とプリント基板４４とを含む内蔵ユニット３２が収納され、その開放端縁１５側をカシメて振動板リング３３とプリント基板４４とを電気的に導通させてなるコンデンサマイクロホンユニット１１において、振動板リング３３とプリント基板４４との間には、振動板リング３３との面接触を自在とする基台部２３と、該基台部２３の外周縁２３ａから内蔵ユニット３２の座高方向に直進させて開放端縁１５との同時カシメを自在に形成された接触端部２４ａを介してプリント基板４４の外表面４４ａ側との面接触を自在とした直進部２４とからなる導電介在片２２を配置させて、相互の強固な導通を確保した。【選択図】図１
2008131191.tif 000002
【特許請求の範囲】
【請求項１】
前面に前部音響端子孔を、後面に開口面を有する有底円筒形を呈するユニットケースには、振動板が張設されて前記前面側に収容される振動板リングと、前記開口面側を封口するプリント基板と、これら相互間に配設される他の構成部材との組み合わせで構成される内蔵ユニットが収納され、前記開口面を仕切る前記ユニットケースの開放端縁側をカシメて前記振動板リングと前記プリント基板とを電気的に導通させてなるコンデンサマイクロホンユニットにおいて、
前記振動板リングと前記プリント基板との間には、前記振動板リングとの面接触が自在な基台部と、該基台部の外周縁から前記内蔵ユニットの座高方向に直進させて前記開放端縁との同時カシメを自在に形成された接触端部を介して前記プリント基板の外表面側との面接触を自在とした直進部とからなる薄板状の導電介在片を配置させて、相互の強固な導通を確保したことを特徴とするコンデンサマイクロホンユニット。
【請求項２】
前記導電介在片は、前記直進部を複数箇所に備え、そのうちの少なくとも１以上の前記接触端部を前記プリント基板側にはんだ付けした請求項１に記載のコンデンサマイクロホンユニット。
【請求項３】
前記内蔵ユニットには、その指向性を単一指向性または双指向性に調整すべく、前記プリント基板側に設けられた後部音響端子孔から前記振動板の背面側へと至る音通路を具備させた請求項１または２に記載のコンデンサマイクロホンユニット。
【発明の詳細な説明】
【技術分野】
【０００１】
本発明は、カシメ圧力の程度の如何にかかわらず振動板とプリント基板との間の電気的導通を確実・強固に確保して、高周波電磁波に対しても優れたシールド効果を発揮させることができるようにしたコンデンサマイクロホンユニットに関する技術である。
【背景技術】
【０００２】
小型、軽量に形成されるコンデンサマイクロホンユニットは、一般に、有底円筒状に形成されたユニットケースの開口面を仕切っている開放端縁側をカシメた際に押圧されるプリント基板を介して、ユニットケース内に内蔵ユニットが保持された状態のもとで封口されている。
【０００３】
このような構造を備えるコンデンサマイクロホンユニットは、近年益々需要が増大しているものの、その一方で、コンデンサマイクロホンユニットの近傍で携帯電話が使用される状況も頻発している。このため、コンデンサマイクロホンユニットには、携帯電話が発する高周波電磁波の侵入を阻止する優れたシールド効果を具備させて、雑音を発生させないようにすることが要求されている。
【０００４】
また、コンデンサマイクロホンユニットは、ユニットケースを介して振動板とプリント基板とを電気的に導通させることで、そのシールド効果が確保できる構造を備えている。下記特許文献１には、このような場合に電気的導通をより確実に確保するため、ユニットケースの開放端縁をカシメた際のプリント基板との間の導通を特に強固にすることで優れたシールド効果を得るようにしたコンデンサマイクロホンユニットが開示されている。
【特許文献１】特開２００６−７４１４９号公報
【０００５】
図３は、従来からあるコンデンサマイクロホンユニットの一例についてその断面構造を示す説明図である。同図によれば、コンデンサマイクロホンユニット（以下、「マイクロホンユニット」と称する。）１は、前面に前部音響端子孔２ａを、後面に開口面２ｂとを有する有底円筒状のユニットケース２と、該ユニットケース２内に収納される内蔵ユニット３とで構成されている。
【０００６】
このうち、ユニットケース２は、例えばアルミニウムのような金属が用いられて形成されており、開口面２ｂを仕切っている開放端縁２ｃ側をカシメることで内蔵ユニット３側を保持できるようになっている。
【０００７】
一方、内蔵ユニット３は、振動板４ａが張設されて前部音響端子孔２ｃ側に配置される振動板リング４と、振動板４ａと所定の間隔をおいて対向配置される背極板５と、該背極板５を支持する絶縁座６と、開口面２ｂを封口するプリント基板７と、該プリント基板７に接続されたインピーダンス変換器８とで少なくとも構成されている。
【０００８】
この場合、マイクロホンユニット１は、プリント基板７に設けられた複数の後部音響端子孔７ａと、絶縁座６に設けられた通孔６ｂと、背極板５の後方に確保された空気室６ａと、背極板５に設けられた透孔５ａとの間に連通形成された音通路９を備えている。なお、引出し符号Ｒは、後部音響端子孔７ａと通孔６ｂとの間に介在させた音響抵抗材を示す。
【０００９】
しかも、マイクロホンユニット１には、背極板５からインピーダンス変換器８へと至る一側電気導通路と、振動板４からユニットケース２を経てプリント基板７へと至る他側電気導通路とが形成されている。また、絶縁座６は、これら２系統の電気導通路が相互に短絡しないように配置されている。
【００１０】
このうち、一側電気導通路は、本体部８ａから引き出された接続線８ｂを介してインピーダンス変換器８と背極板５とが導通し、プリント基板７に設けられている引出し孔７ｂから引き出されている本体部８ａの引出し線８ｃを介して外部側の図示しない接続対象部材と接続させることで確保される。なお、引出し線８ｃは、プリント基板７の外表面側に半田付けされている。
【００１１】
他側電気導通路は、振動板リング４ａとユニットケース２とを電気的に接触させ、該ユニットケース２の開放端縁２ｃがカシメられることでプリント基板７のアースパターン側と電気的に接触させることで確保される。つまり、マイクロホンユニット１は、他側電気導通路を確保することで外来電磁波に対するシールド効果が得られる構造となっている。
【００１２】
ところで、マイクロホンユニット１が比較的安価な無指向性ユニットである場合には、振動板４の張力が高いことから、内蔵ユニット３側に強い押圧力が加わるようにカシメることができ、他側電気導通路を確実に確保することができる。
【発明の開示】
【発明が解決しようとする課題】
【００１３】
しかし、マイクロホンユニット１が図３に示すマイクロホンユニット１のような場合には、低域での良好な指向周波数応答を得るため、内蔵ユニット３側に対する押圧力を弱めて振動板４の張力を低く抑える必要があことから、ユニットケース２の開放端縁２ｃのカシメもその押圧力の程度を弱くする必要がある。このため、図３に示すタイプのマイクロホンユニット１にあっては、ユニットケース２と振動板リング４やプリント基板７との間の導通が不十分となって優れたシールド効果が得難くなり、ハム雑音が発生して音声が断続する不都合があった。
【００１４】
また、逆に開放端縁２ｄのカシメ圧力を過剰に強めたマイクロホンユニット１の場合には、内蔵ユニット３側も大きな押圧力を受けて振動板４が変形してしまい、低域の指向周波数特性などに変化を生じさせてしまう不具合もあった。
【００１５】
本発明は、従来技術の上記課題に鑑み、カシメ圧力の程度の如何にかかわらず振動板とプリント基板との間の電気的導通を確実・強固に確保して、高周波電磁波に対しても優れたシールド効果を発揮させることができるコンデンサマイクロホンユニットを提供することを目的とする。
【課題を解決するための手段】
【００１６】
本発明は、上記目的を達成すべくなされたものであり、前面に前部音響端子孔を、後面に開口面を有する有底円筒形を呈するユニットケースには、振動板が張設されて前記前面側に収容される振動板リングと、前記開口面側を封口するプリント基板と、これら相互間に配設される他の構成部材との組み合わせで構成される内蔵ユニットが収納され、前記開口面を仕切る前記ユニットケースの開放端縁側をカシメて前記振動板リングと前記プリント基板とを電気的に導通させてなるコンデンサマイクロホンユニットにおいて、前記振動板リングと前記プリント基板との間には、前記振動板リングとの面接触が自在な基台部と、該基台部の外周縁から前記内蔵ユニットの座高方向に直進させて前記開放端縁との同時カシメを自在に形成された接触端部を介して前記プリント基板の外表面側との面接触を自在とした直進部とからなる薄板状の導電介在片を配置させて、相互の強固な導通を確保したことを最も主要な特徴とする。
【００１７】
この場合、前記導電介在片は、前記直進部を複数箇所に備え、そのうちの少なくとも１以上の前記接触端部を前記プリント基板側にはんだ付けしておくのが好ましい。
【００１８】
前記内蔵ユニットには、その指向性を単一指向性または双指向性に調整すべく、前記プリント基板側に設けられた後部音響端子孔から前記振動板の背面側へと至る音通路を具備させておくのが望ましい。
【発明の効果】
【００１９】
請求項１の発明によれば、振動板リングとプリント基板との間には、導電介在片を配置させることでカシメ圧力を強めることなく相互の強固な導通を確保することができるので、これにより接触不良による音声の断続の発生を阻止することができるばかりでなく、高周波電磁波に対する優れたシールド効果を得ることができる。
【００２０】
また、請求項２の発明によれば、導電介在片は、直進部を複数箇所に備え、そのうちの少なくとも１以上の接触端部がプリント基板側にはんだ付けされているので、より確実な電気的な接続状態を確保することができる。
【００２１】
さらに、請求項３の発明によれば、内蔵ユニットには、プリント基板側に設けられた後部音響端子孔から前記振動板の背面側へと至る音通路を設けてあるので、シールド効果の優れた単一指向性または双指向性のコンデンサマイクロホンユニットを提供することができる。
【発明を実施するための最良の形態】
【００２２】
図１は、本発明の一例につきその断面構造を示す説明図である。また、図２は、本発明を構成している導電介在片の一例を示す説明図であり、そのうちの（ａ）は底面図を、（ｂ）は（ａ）のＡ−Ａ線矢視方向での断面図を、（ｃ）は（ｂ）を軸の廻りに９０°回転させた際の断面図をそれぞれ示す。
【００２３】
これらの図によれば、コンデンサマイクロホンユニット（以下、「マイクロホンユニット」と称する。）１１は、ユニットケース１２と、該ユニットケース１２内に収容される導電介在片２２と内蔵ユニット３２とを少なくとも備えてその全体が形成されている。
【００２４】
これらのうち、ユニットケース１２は、例えばアルミニウムなどの導電性金属を用いて形成されており、その前面側に収音用の前部音響端子孔１３が、後面側に開口面１４がそれぞれ設けられた有底円筒状を呈して形成されている。
【００２５】
しかも、ユニットケース１２は、その開口面１４を仕切る開放端縁１５を内方へと向けてカシメることで、内蔵ユニット２２と導電介在片４２とに対し内方へと向かう押圧力を生成してこれらを確実に保持できるようになっている。
【００２６】
また、薄板状の洋白などの導電性合金を用いて一体形成される導電介在片２２は、後述する振動板リング３３との面接触が自在な基台部２３と、該基台部２３の外周縁２３ａから内蔵ユニット３２の座高方向に直進させて開放端縁１５との同時カシメを自在に形成された接触端部２４ａを介して後述するプリント基板３７の外表面側との面接触を自在とした直進部２４とを備えている。
【００２７】
このうち、基台部２３は、振動板リング３３と略対面合致する面サイズが付与されて形成されており、その中央部には前部音響端子孔１３よりも大径な中央開口２５が形成されている。
【００２８】
また、直進部２４は、基台部２３の外周縁２３ａの対向２カ所から各別に直進させた対となって形成されており、それぞれの接触端部２４ａがユニットケース１２の開放端縁１５との同時カシメを自在とした長さが付与されて形成されている。
【００２９】
一方、ユニットケース１２内に導電介在片２２を介して収容される内蔵ユニット３２は、振動板３４が張設された振動板リング３３と、振動板３４との間に所定の間隔をおいて対向配置される背極板３５と、該背極板３５を支持する絶縁座３７と、インピーダンス変換器  を実装して開口面１４の封口を自在に形成されたプリント基板  とで少なくとも構成されている。
【００３０】
この場合、振動板３４は、振動板リング３３に所定の張力が付与されて張設されており、例えばエポキシ系接着剤などの導電性接着剤を用いて振動板リング３３側に固着されている。   
【００３１】
絶縁座３７は、透孔３６を有する背極板３５を載置するための段差部３８と、該段差部３８に続く凹陥部３９をその一側面側に備え、段差部３８を介して載置された背極板３５との間に所要容積の空気室  を確保することができるようになっている。
【００３２】
また、絶縁座３７は、同心円となった位置関係のもとで複数の通孔４０がその軸方向に各別に形成されており、その他側面側に該通孔４０と連通させた大径凹部４１が形成されており、該大径凹部４１を介して音響抵抗材  を各別に配設することができるようになっている。
【００３３】
しかも、絶縁座３７の軸心方向からやや偏心させた位置には、本体部４７aと、該本体部４７ａの一側面側から引き出された一側リード端子４７ｂと他側面側から引き出された他側リード端子４７ｃとを備えるインピーダンス変換器４７を収容するための空間部４２が形成されている。該空間部４２は、一側リード端子４７ｂを振動板３４側に、他側リード端子４７ｃをプリント基板４４側にそれぞれ電気的に接続させることができる構造を備えて形成されている。
【００３４】
絶縁座３７の他側面側に配置されるプリント基板４４は、絶縁座３７の各通孔４０との対面位置に後部音響端子孔４５が各別に形成されているほか、インピーダンス変換器４７の他側リード端子４７ｃを挿通させてはんだ付けするための通孔４６もその対応位置に形成されている。
【００３５】
ユニットケース１２と導電介在片２２と内蔵ユニット３２とは、このような配置関係にあるため、プリント基板４４の後部音響端子孔４５→絶縁座５３の大径凹部３９（音響抵抗材４３）→絶縁座３７の通孔４０→空気室３６→背極板３５の透孔３５ａ→振動板３４へと至る音通路４９を確保できることになる。
【００３６】
つまり、図１に示すマイクロホンユニット１１は、後方からの音波取り入れ口として複数の後部音響端子孔４５がプリント基板４４に設けられており、また、内蔵ユニット３２に後部音響端子孔４５から振動板３４の背面側へと至る音通路４９を具備させたことで、単一指向性ないし双指向性に調整されて形成されることになる。
【００３７】
また、導電介在片２２と内蔵ユニット３２とを収容した後にユニットケース１２の開放端縁１５をカシメた際には、導電介在片２２が備える直進部２４の接触端部２４ａ側も同時に折曲される結果、該接触端部２４ａが封口状態にあるプリント基板４４の外表面４４ａ側の図示しないアースパターンに各別に面接触させることができることになる。
【００３８】
本発明は、このようにして構成されているので、ユニットケース２２内には、導電介在片２２を配置した上で内蔵ユニット３２が収容されることになる。このとき、振動板リング３３は、導電介在片２２の基台部２３を介してユニットケース１２側と確実な接触関係を確保することができる。
【００３９】
また、該ユニットケース１２の開放端縁１５は、導電介在片２２の直進部２４における接触端部２４ａと密に接触した状態のもとでプリント基板４４の外表面４４ａ側へとカシメられる結果、接触端部２４ａを介してプリント基板４４のアースパターン側と確実な接触関係を確保することができる。
【００４０】
つまり、ユニットケース１２と内蔵ユニット３２との間には、導電介在片２２が配置されているので、例えば低域での良好な指向周波数応答を得るために振動板３４の張力を低くて抑えておいても、カシメ圧力を弱めた状態で必要なシールド効果を得ることができる。このため、携帯電話などが発する高周波電磁波に対しては、優れたシールド効果を発揮させることができるほか、接触不良によりハム雑音が発生して音声が断続するという不具合の発生も確実に回避させることができる。
【００４１】
また、本発明によれば、ユニットケース１２の開放端縁１５のカシメ圧力を強めても、導電介在片２２を介在させたことにより、内蔵ユニット３２側も大きな押圧力を受けることをなくすことができるので、低域の指向周波数特性なども安定させて、単一指向性または双指向性に優れた特性を発揮させることができる。
【００４２】
さらに、導電介在片２２の接触端部２４ａをプリント基板４４側にはんだ付けする場合には、プリント基板４４との間の電気的導通をより確実で強固なものとすることができる。なお、はんだ付けは、接触端部２４ａの全てに行っても、その一部に行ってもよい。
【００４３】
以上は、本発明を図示例に基づいて説明したものであり、その具体的な構成はこれに限定されるものではない。例えば、導電介在片２２における直進部２４は、対となって対向配置されている場合を例として示したが、所望に応じてその数及び位置を適宜設定することができる。マイクロホンユニット１１は、所望に応じて音通路４９を確保することなく無指向性ユニットとして形成することもできる。
【図面の簡単な説明】
【００４４】
【図１】本発明の一例につきその断面構造を示す説明図。
【図２】本発明を構成している導電介在片の一例を示す説明図であり、そのうちの（ａ）は底面図を、（ｂ）は（ａ）のＡ−Ａ線矢視方向での断面図を、（ｃ）は（ｂ）を軸の廻りに９０°回転させた際の断面図をそれぞれ示す。
【図３】従来からあるコンデンサマイクロホンユニットの一例についてその断面構造を示す説明図。
【符号の説明】
【００４５】
１１  コンデンサマイクロホンユニット
１２  ユニットケース
１３  前部音響端子孔
１４  開口面
１５  開放端縁
２２  導電介在片
２３  基台部
２３ａ  外周縁
２４  直進部
２４ａ  接触端部
２５  中央開口
３２  内蔵ユニット
３３  振動板リング
３４  振動板
３５  背極板
３５ａ  透孔
３６  空気室
３７  絶縁座
３８  段差部
３９  凹陥部
４０  通孔
４１  大径凹部
４２  空間部
４３  音響抵抗材
４４  プリント基板
４５  後部音響端子孔
４６  通孔
４７  インピーダンス変換器
４７ａ  本体部
４７ｂ  一側リード端子
４７ｃ  他側リード端子
４９  音通路
【図１】
2008131191.tif 000003
【図２】
2008131191.tif 000004
【図３】
2008131191.tif 000005